(57)【要約】【課題】従来の重畳回路は、重畳電圧印加用コンデンサの充電開始タイミングが極性反転のタイミングと同期するため、正極性期間を短く設定した場合に充電時間が不足し、所望の重畳電圧値まで充電させることができないという課題を有していた。【解決手段】逆極性重畳電圧印加期間のみＯＮするｔ１信号を第３の逆極性用スイッチング素子１５３へ供給することにより、逆極性重畳電圧印加期間終了後、ただちに第１の逆極性用コンデンサ１５２への充電を開始させることができる。同様に、正極性重畳電圧印加期間のみＯＮするｔ２信号を第３の正極性用スイッチング素子１６３へ供給することにより、正極性重畳電圧印加期間終了後ただちに第１の正極性用コンデンサ１６２への充電を開始させることができる。この動作により、正極性期間を短く設定した場合でも充電期間を確保し、所望の重畳電圧値まで充電させることができる。【選択図】図１
2010240682.tif 000002
【特許請求の範囲】
【請求項１】
電極がプラス極性である逆極性期間と前記電極がマイナス極性である正極性期間とを交互に繰り返して溶接を行う交流溶接装置であって、
前記正極性期間から前記逆極性期間に変わる際に前記電極と溶接対象物との間に電圧を印加する第１の重畳回路部と、
前記第１の重畳回路部による電圧の印加を制御する第１の制御部と、
前記逆極性期間から前記正極性期間に変わる際に前記電極と前記溶接対象物との間に電圧を印加する第２の重畳回路部と、
前記第２の重畳回路部による電圧の印加を制御する第２の制御部とを備え、
前記第１の重畳回路部は、第１の容量性素子と、前記第１の容量性素子を充電するための第１の電源部と、前記第１の容量性素子の充電と放電を切り替えるための第１のスイッチング素子を備え、
前記第２の重畳回路部は、第２の容量性素子と、前記第２の容量性素子を充電するための第２の電源部と、前記第２の容量性素子の充電と放電を切り替えるための第２のスイッチング素子を備え、
前記第１の重畳回路を構成する前記第１の容量性素子が放電を行った後に前記逆極性期間において前記第１の容量性素子の充電を開始する交流溶接装置。
【請求項２】
第２の重畳回路を構成する第２の容量性素子が放電を行った後に放電を行ったこの正極性期間において前記第２の容量性素子の充電を開始する請求項１記載の交流溶接装置。
【請求項３】
電極がプラス極性である逆極性期間と前記電極がマイナス極性である正極性期間とを交互に繰り返して溶接を行う交流溶接装置であって、
前記正極性期間から前記逆極性期間に変わる際および／または前記逆極性期間から前記正極性期間に変わる際に前記電極と溶接対象物との間に電圧を印加する重畳回路部と、
前記重畳回路部による電圧の印加を制御する制御部とを備え、
前記重畳回路部は、容量性素子と、前記容量性素子を充電するための電源部と、前記容量性素子の充電と放電を切り替えるためのスイッチング素子を備え、
前記正極性期間から前記逆極性期間に変わる際に前記電極と溶接対象物との間に電圧を印加する場合には前記正極性期間から前記逆極性期間に変わる際に前記容量性素子を放電させて電圧を印加し、この放電の後に前記逆極性期間において前記容量性素子の充電を開始し、
前記逆極性期間から前記正極性期間に変わる際に前記電極と溶接対象物との間に電圧を印加する場合には前記逆極性期間から前記正極性期間に変わる際に前記容量性素子を放電させて電圧を印加し、この放電の後に前記正極性期間において前記容量性素子の充電を開始する交流溶接装置。
【発明の詳細な説明】
【技術分野】
【０００１】
本発明は、溶接出力を電極が母材に対して（＋）である逆極性の期間と、（−）である正極性の期間とを交互に繰り返す交流アーク溶接に関し、特に、極性切り換え時に電圧を印加する重畳回路を備えた交流溶接装置に関するものである。
【背景技術】
【０００２】
近年、溶接部の溶け込み深さの調節や溶接ビードの形状を調節するため、逆極性と正極性を交互に繰り返して溶接を行う交流アーク溶接機が使用されている（例えば、特許文献１参照）。
【０００３】
図１０に、従来の交流アーク溶接機の構成の一例を示す。アーク溶接機は、電源入力部１と、電源入力部１に接続されたインバータ制御部２と、インバータ制御部２に接続された主変圧器３と、主変圧器３からの出力を整流する第１のダイオード４と、主変圧器３からの出力を整流する第２のダイオード５と、第１のダイオード４の出力を電極１２と母材１４との間に逆極性出力として供給するように接続された第１の逆極性用スイッチング素子６と、第２のダイオード５の出力を電極１２と母材１４との間に正極性出力として供給するように接続された第１の正極性用スイッチング素子８と、溶接機の出力端子１０と、通電用コンタクトチップ１１と、電極１２と、逆極性重畳回路部１５と、正極性重畳回路部１６を備えている。なお、電極１２と被溶接物である母材１４との間に溶接アーク１３を発生させて溶接を行う。
【０００４】
そして、逆極性重畳回路部１５内では、第１の逆極性用直流電源１５１により第１の逆極性用コンデンサ１５２を充電するように接続がされ、また、第１の逆極性用直流電源１５１と第３の逆極性用スイッチング素子１５３と第１の抵抗１５４を直列に接続している。
【０００５】
また、正極性重畳回路部１６では、第２の正極性用直流電源１６１により第１の正極性用コンデンサ１６２を充電するように接続がされ、また、第２の正極性用直流電源１６１と第３の正極性用スイッチング素子１６３と第２の抵抗１６４を直列に接続している。
【０００６】
上記のように構成されたアーク溶接機の各スイッチング素子の動作と、第１の逆極性用コンデンサ１５２の電圧波形と、第１の正極性用コンデンサ１６２の電圧波形について、図１１を参照して説明する。
【０００７】
図１１において、ＥＰ信号は、第１の逆極性用スイッチング素子６と第３の正極性用スイッチング素子１６３を逆極性出力期間にＯＮし、正極性出力期間にＯＦＦする信号である。ＥＮ信号は、正極性用スイッチング素子８と第３の逆極性用スイッチング素子１５３を正極性出力期間にＯＮし、逆極性出力期間にＯＦＦする信号である。第１の逆極性用コンデンサ１５２は、第３の逆極性用スイッチング素子１５３がＯＮになる正極性出力時に第１の逆極性用直流電源１５１によって充電され、第３の逆極性用スイッチング素子１５３がＯＦＦになる逆極性出力時に電極１２と母材１４との間に逆極性重畳電圧を印加し、急峻に放電される。一方、第１の正極性用コンデンサ１６２は、第３の正極性用スイッチング素子１６３がＯＮになる逆極性出力時に第１の正極性用直流電源１６１によって充電され、第３の正極性用スイッチング素子１６３がＯＦＦになる正極性出力時に電極１２と母材１４との間に正極性重畳電圧を印加し、急峻に放電される。
【先行技術文献】
【特許文献】
【０００８】
【特許文献１】特開平６−６３７４７号公報
【発明の概要】
【発明が解決しようとする課題】
【０００９】
しかし、従来の重畳回路部は、交流周波数を大きくした場合や、正極性期間の比率を逆極性期間に対して低く設定した場合など、正極性期間が短くなる状態では、逆極性重畳電圧印加用コンデンサの充電の開始が逆極性出力から正極性出力へ切り替わるタイミングと同期するため、図１１に示すように充電時間が不足し、所望の重畳電圧値まで充電させることができず、故に、極性切換時に印化する電圧が低くなり、重畳電圧を印加してもアーク切れを防ぐことができない場合が生じるという課題を有していた。
【００１０】
本発明は、正極性期間が短くなる場合にも、重畳電圧印加用コンデンサへ所望の重畳電圧値まで充電させることを可能にする交流溶接装置を提供することを目的とする。
【課題を解決するための手段】
【００１１】
上記課題を解決するために、本発明の交流溶接装置は、電極がプラス極性である逆極性期間と前記電極がマイナス極性である正極性期間とを交互に繰り返して溶接を行う交流溶接装置であって、前記正極性期間から前記逆極性期間に変わる際に前記電極と溶接対象物との間に電圧を印加する第１の重畳回路部と、前記第１の重畳回路部による電圧の印加を制御する第１の制御部と、前記逆極性期間から前記正極性期間に変わる際に前記電極と前記溶接対象物との間に電圧を印加する第２の重畳回路部と、前記第２の重畳回路部による電圧の印加を制御する第２の制御部とを備え、前記第１の重畳回路部は、第１の容量性素子と、前記第１の容量性素子を充電するための第１の電源部と、前記第１の容量性素子の充電と放電を切り替えるための第１のスイッチング素子を備え、前記第２の重畳回路部は、第２の容量性素子と、前記第２の容量性素子を充電するための第２の電源部と、前記第２の容量性素子の充電と放電を切り替えるための第２のスイッチング素子を備え、前記第１の重畳回路を構成する前記第１の容量性素子が放電を行った後に前記逆極性期間において前記第１の容量性素子の充電を開始するものである。
【００１２】
また、本発明の交流溶接装置は、上記に加えて、第２の重畳回路を構成する第２の容量性素子が放電を行った後に放電を行ったこの正極性期間において前記第２の容量性素子の充電を開始するものである。
【００１３】
また、本発明の交流溶接装置は、電極がプラス極性である逆極性期間と前記電極がマイナス極性である正極性期間とを交互に繰り返して溶接を行う交流溶接装置であって、前記正極性期間から前記逆極性期間に変わる際および／または前記逆極性期間から前記正極性期間に変わる際に前記電極と溶接対象物との間に電圧を印加する重畳回路部と、前記重畳回路部による電圧の印加を制御する制御部とを備え、前記重畳回路部は、容量性素子と、前記容量性素子を充電するための電源部と、前記容量性素子の充電と放電を切り替えるためのスイッチング素子を備え、前記正極性期間から前記逆極性期間に変わる際に前記電極と溶接対象物との間に電圧を印加する場合には前記正極性期間から前記逆極性期間に変わる際に前記容量性素子を放電させて電圧を印加し、この放電の後に前記逆極性期間において前記容量性素子の充電を開始し、前記逆極性期間から前記正極性期間に変わる際に前記電極と溶接対象物との間に電圧を印加する場合には前記逆極性期間から前記正極性期間に変わる際に前記容量性素子を放電させて電圧を印加し、この放電の後に前記正極性期間において前記容量性素子の充電を開始するものである。
【発明の効果】
【００１４】
以上のように、本発明は、正極性出力から逆極性出力へ極性反転させる場合と逆極性出力から正極性出力へ極性反転させる場合とに印加する重畳電圧に関し、重畳電圧印加期間終了後に重畳電圧印加用の容量性素子に充電を開始させることにより、重畳電圧印加用の容量性素子に所望の重畳電圧値となるまで確実に充電させることができる。
【図面の簡単な説明】
【００１５】
【図１】本発明の実施の形態１にアーク溶接機の概略構成を示す図
【図２】本発明の実施の形態１における各スイッチング素子の駆動信号のタイミングを示す図
【図３】本発明の実施の形態１における溶接電流と極性信号と重畳電圧の時間変化を示す図
【図４】本発明の実施の形態１にアーク溶接機の概略構成を示す図
【図５】本発明の実施の形態１にアーク溶接機の一部の概略構成を示す図
【図６】本発明の実施の形態１にアーク溶接機の一部の概略構成を示す図
【図７】本発明の実施の形態２にアーク溶接機の一部の概略構成を示す図
【図８】本発明の実施の形態２における各スイッチング素子の駆動信号のタイミングを示す図
【図９】本発明の実施の形態２における溶接電流と極性信号と重畳電圧の時間変化を示す図
【図１０】従来の交流アーク溶接機の概略構成を示す図
【図１１】従来の交流アーク溶接機における溶接電流と極性信号と重畳電圧の時間変化を示す図
【発明を実施するための形態】
【００１６】
（実施の形態１）
図１は本実施の形態における交流溶接装置の一例であるアーク溶接機の概略構成を示す図である。図１において、アーク溶接機は、交流電力を入力するための電源入力部１と、電源入力部１に接続され交流周波数を変更するインバータ制御部２と、インバータ制御部２に接続され電力の変換を行う主変圧器３と、主変圧器３からの出力を整流する第１のダイオード４と、主変圧器３からの出力を整流する第２のダイオード５と、第１のダイオード４の出力を電極１２と母材１４との間に逆極性出力として供給するように接続された第１の逆極性用スイッチング素子６と、第１のダイオード４の出力を電極１２と母材１４との間に逆極性出力として供給するように接続された第２の逆極性用スイッチング素子７と、第２のダイオード５の出力を電極１２と母材１４との間に正極性出力として供給するように接続された第１の正極性用スイッチング素子８と、第２のダイオード５の出力を電極１２と母材１４との間に正極性出力として供給するように接続された第２の正極性用スイッチング素子９と、溶接機の出力端子１０と、通電用コンタクトチップ１１と、電極１２と、逆極性重畳回路部１５と、正極性重畳回路部１６とを備えている。なお、電極１２と被溶接物である母材１４との間に溶接アーク１３を発生させて溶接を行う。
【００１７】
逆極性重畳回路部１５内では、第１の逆極性用直流電源１５１により第１の逆極性用コンデンサ１５２を充電するように第１の逆極性用直流電源１５１と逆極性用コンデンサ１５２とが並列に接続され、逆極性用コンデンサ１５２と第３の逆極性用スイッチング素子１５３と第１の抵抗１５４とが直列に接続されている。
【００１８】
また、正極性重畳回路部１６内では、第２の正極性用直流電源１６１により第１の正極性用コンデンサ１６２を充電するように第２の正極性用直流電源１６１と第１の正極性用コンデンサ１６２とが並列に接続され、第１の正極性用コンデンサ１６２と第３の正極性用スイッチング素子１６３と第２の抵抗１６４とが直列に接続されている。
【００１９】
次に、上記のように構成されたアーク溶接機の各スイッチング素子に供給される駆動信号について、図２の動作タイミング図を参照して説明する。
【００２０】
図２において、極性比率設定部１７は正極性期間を決定するためのものであり、交流出力制御部１８は各スイッチング素子に対して極性比率設定部１７で設定された極性比率に応じたＯＮ−ＯＦＦ信号を供給するものである。
【００２１】
ＥＰ信号は、第１の逆極性用スイッチング素子６と第２の逆極性用スイッチング素子７を逆極性出力期間にＯＮし、正極性出力期間にＯＦＦするための信号である。
【００２２】
ＥＮ信号は、正極性用スイッチング素子８と第２の正極性用スイッチング素子９を正極性出力期間にＯＮし、逆極性出力期間にＯＦＦするための信号である。
【００２３】
ｔ１信号は、正極性出力から逆極性出力への極性反転時に、逆極性重畳電圧印加期間のみＯＮし、逆極性重畳電圧印加期間以降はＯＦＦするための信号である。なお、逆極性重畳電圧印加期間は、逆極性期間より短い。
【００２４】
ｔ２信号は、逆極性出力から正極性出力への極性反転時に、正極性重畳電圧印加期間のみＯＮし、正極性重畳電圧印加期間以降はＯＦＦするための信号である。
【００２５】
次に、前述のＥＰ信号、ＥＮ信号、ｔ１信号、ｔ２信号を供給した場合における各スイッチング素子の動作と、第１の逆極性用コンデンサ１５２の電圧と、第１の正極性用コンデンサ１６２の電圧について、図３を参照して説明する。
【００２６】
溶接電流を正極性出力から逆極性出力へ極性反転をさせる場合、ＥＰ信号により第１の逆極性用スイッチング素子６と第２の逆極性用スイッチング素子７をＯＮし、ＥＮ信号により第１の正極性用スイッチング素子８と第２の正極性用スイッチング素子９をＯＦＦし、ｔ１信号により第３の逆極性用スイッチング素子１５３をＯＮし、逆極性重畳電圧印加期間終了後に第３の逆極性用スイッチング素子１５３をＯＦＦする。この動作における第１の逆極性用コンデンサ１５２は、第３の逆極性用スイッチング素子１５３がＯＮの期間には電極１２と母材１４との間に逆極性重畳電圧を印加するため急峻に放電し、第３の逆極性用スイッチング素子１５３がＯＦＦした後は逆極性出力回路から切り離されるため第１の逆極性用コンデンサ１５２を充電するように並列接続した第１の逆極性用直流電源１５１によって逆極性重畳電圧値まで充電する。すなわち、逆極性期間に放電を行い、この逆極性期間内において充電を開始する。従って、正極性期間だけではなく逆極性期間においても充電を行うことが可能であり、極性比率が小さく正極性期間が短い場合でも、逆極性重畳電圧値まで充電することができる。
【００２７】
一方、溶接電流を逆極性出力から正極性出力へ極性反転をさせる場合、ＥＮ信号により第１の正極性用スイッチング素子８と第２の正極性用スイッチング素子９をＯＮし、ＥＰ信号により第１の逆極性用スイッチング素子６と第２の逆極性用スイッチング素子７をＯＦＦし、ｔ２信号により第３の正極性用スイッチング素子１６３をＯＮし、正極性重畳電圧印加期間終了後に第３の正極性用スイッチング素子１６３をＯＦＦする。この動作における第１の正極性用コンデンサ１６２は、第３の正極性用スイッチング素子１６３がＯＮの期間には電極１２と母材１４との間に正極性重畳電圧を印加するため急峻に放電し、第３の正極性用スイッチング素子１６３がＯＦＦした後は正極性出力回路から切り離されるため第１の正極性用コンデンサ１６２を充電するように並列接続した第２の正極性用直流電源１６１によって正極性重畳電圧値まで充電する。なお、正極性期間に放電を行い、正極性重畳電圧印加期間終了時もまだ正極性期間が続いていれば、この正極性期間内において充電を開始する。従って、逆極性期間だけではなく正極性期間においても充電を行うことが可能である。なお、正極性重畳電圧印加期間終了時に逆極性期間となっていれば、この逆極性期間から充電を開始する。
【００２８】
以上のように、図２に示す交流出力制御部１８で設定した重畳電圧印加期間のみ重畳電圧を印加し、重畳電圧印加期間終了と同時あるいは遅れて重畳電圧の充電を開始する重畳回路部を２回路搭載することにより、正極性期間の長さの影響を受けず、常に安定した重畳電圧を印加し、円滑な溶接を実現することが可能になる。
【００２９】
なお、本実施の形態では、第１の逆極性用スイッチング素子６と第２の逆極性用スイッチング素子７と第１の正極性用スイッチング素子８と第２の正極性用スイッチング素子９からなる溶接出力を直流から交流に変換する２次インバータ部の直流側に重畳回路部を配置しているが、図４に示すように、２次インバータ部の交流側に配置してもよい。このように交流側に配置することにより、内部インピーダンスの影響が低減されるという利点がある。
【００３０】
また、本実施の形態では、溶接出力を直流から交流に変換する２次インバータ部がフルブリッジで構成されている例を示しているが、従来例のように２次インバータ部がハーフブリッジで構成する場合にも適用でき、例えば図５や図６に示す構成とすることで容易にハーフブリッジに適用することができる。
【００３１】
（実施の形態２）
本実施の形態において、実施の形態１と同様の箇所については同一の符号を付して詳細な説明を省略する。実施の形態１と異なる主な点は、実施の形態１では重畳回路部を２つ備えていたのに対し、本実施の形態では重畳回路部を１つ備える構成とした点である。すなわち、実施の形態１における逆極性重畳回路部１５と正極性重畳回路部１６を、後述する両極性重畳回路１９とした点である。
【００３２】
図７は、本実施の形態におけるアーク溶接機の概略構成を示す図である。なお、電源入力部１から母材１４は図１の構成と同様であるため、詳細な説明を省略する。
【００３３】
図７において、アーク溶接機は、逆極性の重畳電圧印加と正極性の重畳電圧印加とを兼ねた両極性重畳回路部１９を備えている。両極性重畳回路部１９内では、第１の両極性用直流電源１９１により第１の両極性重畳電圧コンデンサ１９２を充電するように、第１の両極性用直流電源１９１と第１の両極性重畳電圧コンデンサ１９２を並列に接続している。そして、第１の両極性重畳電圧コンデンサ１９２と第１の両極性用スイッチング素子１９３と第１の抵抗１５４を直列に接続している。
【００３４】
上記のように構成されたアーク溶接機の各スイッチング素子に供給される駆動信号について、図８の動作タイミング図を参照して説明する。なお、極性比率設定部１７と交流出力制御部１８は実施の形態１において図２を用いて説明したものと同様であるため、詳細な説明は省略する。
【００３５】
ＥＰ信号は、図７における第１の逆極性用スイッチング素子６と第２の逆極性用スイッチング素子７を逆極性出力期間にＯＮし、正極性出力期間にＯＦＦする信号である。
【００３６】
ＥＮ信号は、正極性用スイッチング素子８と第２の正極性用スイッチング素子９を正極性出力期間にＯＮし、逆極性出力期間にＯＦＦする信号である。
【００３７】
ｔ１信号とｔ２信号は、正極性出力から逆極性出力への極性反転時と、逆極性出力から正極性出力への極性反転時に、重畳電圧印加期間のみＯＮし、重畳電圧印加期間以降はＯＦＦする信号である。
【００３８】
前述のＥＰ信号とＥＮ信号とｔ１信号とｔ２信号を供給した場合における各スイッチング素子の動作と、第１の両極性用コンデンサ１９２の電圧について、図９を参照して説明する。
【００３９】
溶接電流を正極性出力から逆極性出力へ極性反転をさせる場合、ＥＰ信号により第１の逆極性用スイッチング素子６と第２の逆極性用スイッチング素子７をＯＮし、ＥＮ信号により第１の正極性用スイッチング素子８と第２の正極性用スイッチング素子９をＯＦＦする。そして、ｔ１信号とｔ２信号により第１の両極性用スイッチング素子１９３をＯＮし、逆極性重畳電圧印加期間終了後に第１の両極性用スイッチング素子１９３をＯＦＦする。この動作における第１の両極性用コンデンサ１９２は、第１の両極性用スイッチング素子１９３がＯＮの期間には電極１２と母材１４との間に逆極性重畳電圧を印加するため急峻に放電し、第３の逆極性用スイッチング素子１５３がＯＦＦした後は出力回路から切り離されるため、第１の両極性用コンデンサ１９２を充電するように並列接続した第１の両極性用直流電源１９１により重畳電圧値まで充電する。
【００４０】
溶接電流を逆極性出力から正極性出力へ極性反転をさせる場合、ＥＮ信号により第１の正極性用スイッチング素子８と第２の正極性用スイッチング素子９をＯＮし、ＥＰ信号により第１の逆極性用スイッチング素子６と第２の逆極性用スイッチング素子７をＯＦＦする。そして、ｔ１信号とｔ２信号により第１の両極性用スイッチング素子１９３をＯＮし、正極性重畳電圧印加期間終了後に第１の両極性用スイッチング素子１９３をＯＦＦする。この動作における第１の両極性用コンデンサ１９２は、第１の両極性用スイッチング素子１９３がＯＮの期間には電極１２と母材１４との間に正極性重畳電圧を印加するため急峻に放電し、第１の両極性用スイッチング素子１９３がＯＦＦした後は出力回路から切り離されるため、第１の両極性用コンデンサ１９２を充電するように並列接続した第１の両極性用直流電源１９１により重畳電圧値まで充電する。
【００４１】
上記のように、逆極性期間に放電を行い、この逆極性期間内において充電を開始し、また、正極性期間に放電を行い、この正極性期間内において充電を開始する。
【００４２】
以上のように、交流出力制御部１８で設定した重畳電圧印加期間のみ重畳電圧を印加し、重畳電圧印加期間終了と同時あるいは遅れて重畳電圧の充電を開始する両極性重畳回路１９を搭載することにより、重畳回路１つで両極性の重畳電圧を印加することができる。
【００４３】
なお、本実施の形態では、１つの両極性重畳回路１９により、正極性期間から逆極性期間に極性反転する場合と逆極性期間から正極性期間に極性反転する場合の両方に電圧を重畳する例を示したが、正極性期間から逆極性期間に極性反転する場合のみ、あるいは、逆極性期間から正極性期間に極性反転する場合のみのいずれか一方のみの場合に電圧を重畳するようにしてもよい。特に、正極性期間から逆極性期間に極性反転する場合のみ電圧を印加するようにしてもよい。
【００４４】
なお、本実施の形態では、ｔ１信号とｔ２信号とを別個にしてスイッチング素子に供給する例をしめしたが、予めｔ１信号とｔ２信号とを併せて１つにした信号をスイッチング素子に供給するようにしても良い。
【産業上の利用可能性】
【００４５】
本発明の交流溶接装置は、交流溶接において、正極性期間に影響を受けずに安定した重畳電圧を印加することができ、極性比率を変更して交流アーク溶接を行う交流溶接装置として産業上有用である。
【符号の説明】
【００４６】
１      電源入力部
２      インバータ制御部
３      主変圧器
４      第１のダイオード
５      第２のダイオード
６      第１の逆極性用スイッチング素子
７      第２の逆極性用スイッチング素子
８      第１の正極性用スイッチング素子
９      第２の正極性用スイッチング素子
１０    出力端子
１１    通電用コンタクトチップ
１２    電極
１３    溶接アーク
１４    母材
１５    逆極性重畳回路部
１６    正極性重畳回路部
１７    極性比率設定部
１８    交流出力制御部
１９    両極性重畳回路部
１５１  第１の逆極性用直流電源
１５２  第１の逆極性用コンデンサ
１５３  第３の逆極性用スイッチング素子
１５４  第１の抵抗
１６１  第２の正極性用直流電源
１６２  第１の正極性用コンデンサ
１６３  第３の正極性用スイッチング素子
１６４  第２の抵抗
１９１  第１の両極性用直流電源
１９２  第１の両極性重畳電圧コンデンサ
１９３  第１の両極性用スイッチング素子
１９４  第３の抵抗
【図１】
2010240682.tif 000003
【図２】
2010240682.tif 000004
【図３】
2010240682.tif 000005
【図４】
2010240682.tif 000006
【図５】
2010240682.tif 000007
【図６】
2010240682.tif 000008
【図７】
2010240682.tif 000009
【図８】
2010240682.tif 000010
【図９】
2010240682.tif 000011
【図１０】
2010240682.tif 000012
【図１１】
2010240682.tif 000013